(57)【特許請求の範囲】
【請求項１】
ＶＴＲに記録された画像の画質評価を行うための評点収集装置であって、少なくとも評点入力部と評点表示部とを具え、前記評点入力部と評点表示部のすべての評価位置を示す照明が消灯されている状態から画質評価を始め、評価者が前記評点入力部に評点入力を行なった際、前記評点入力部と評点表示部の入力された評点に対応する評価位置の照明が点灯するとともに、前記入力された評点と該評点が入力された時点のＶＴＲの時間情報またはタイムコード情報とが同期状態、かつフレーム単位で収集されるように構成したことを特徴とする評点収集装置。
【請求項２】
請求項１記載の評点収集装置において、前記点灯した評点入力部と評点表示部の評価位置の照明をＶＴＲの予め設定された時間情報またはタイムコード情報に従って消灯し、評点収集を繰り返して行なえるように構成したことを特徴とする評点収集装置。
【請求項３】
請求項１または２記載の評点収集装置において、前記評点入力部は評点入力釦によって構成されていることを特徴とする評点収集装置。
【発明の詳細な説明】
【０００１】
【発明の属する技術分野】
本発明は、評価者が主観評価によりＶＴＲに記録された画像の画質評価を行うための動的な評点収集装置に関する。
【０００２】
【従来の技術】
テレビジョン画像等画像の画質評価は主観評価により行うのが一般的であり、従来、ＩＴＵ−Ｒ（国際電気通信連合の無線通信部門）の勧告に従って実施されてきた。これによれば、具体的には、数秒間の画像を観視後、例えば、５段階評価に対応した評価用紙のグラフ上に横線を記入することにより回答する主観評価法が主流である。
【０００３】
しかし、時間とともに画質が変動するような動画像の画質評価は、評価結果を時間関数として表現することが必要である。そこで、従来の評価用紙を用いた主観評価法に代わり、動的な評価結果（以下、評点という）を収集できる評点収集装置が提案されるようになった。
【０００４】
現在までに提案されている動的な評点収集装置は、評点入力部にスライダーやジョイスティック等の連続的入力装置を用いて、ＶＴＲに記録された画像（ＶＴＲ画像）の画質について評点の変化を収集するものである（例えば、Ｈ．  Ｒｉｄｄｅｒ  ｅｔ  ａｌ．「Ｃｏｎｔｉｎｕｏｕｓ  Ａｓｓｅｓｓｍｅｎｔ  ｏｆ  Ｉｍａｇｅ  Ｑｕａｌｉｔｙ」，  ＳＭＰＴＥ  Ｊ．，  ｐｐ．  １２３−１２８，Ｆｅｂ．  １９９７  、および、岡本淳ほか「高能率符号化された白黒動画像における画質の動的主観評価法に関する一検討」，１９９５年画像符号化シンポジウム（ＰＣＳＪ  ９５）予稿集７−２，１９９５年１０月２日〜４日開催）。
【０００５】
【発明が解決しようとする課題】
上述した従来の動的な評点収集装置においては、評点の変化を画像が記録されたＶＴＲのタイムコードとは全く独立に収集していたため、評価画像のフレームごとの微細な状態変化と評点の対応付けが困難であった。また、評点入力部にスライダーやジョイスティック等の連続的入力装置を用いているため、評価者の意思とは無関係に評価者が画質評価を開始する前のスライダーやジョイスティックの位置も評点データとして記録されてしまっていた。さらに、この装置においては、評価者がスライダーやジョイスティックを動かす操作による移動途中のデータを判断切り替え時の反応特性として収集することができるものの、スライダーやジョイスティックの構造により収集データに偏りやバラツキが生じ、信頼性のある評点データの収集が困難であった。
【０００６】
なお、テレビジョン動画像のように時間的に変動する画像の画質を時間を追って主観評価するためには、視覚心理的変化を無理なく正確に測定する必要があるが、従来の動的な評点収集装置は上述したように必ずしも十分なものではなかった。
【０００７】
本発明の目的は、ＶＴＲ画像の画質評価（主観評価）において、上記課題である評価画像のフレームごとの微細な状態変化と評点の対応付けを可能とし、さらに、評価者の判定開始時刻および評価の判断切り替え時刻をフレーム単位で記録したり、人間の知覚・認識に要する時間応答の解析や画像品質の動的な評価を可能にする評点収集装置を提供することにある。
【０００８】
【課題を解決するための手段】
上記目的を達成するために、本発明評点収集装置は、ＶＴＲに記録された画像の画質評価を行うための評点収集装置であって、少なくとも評点入力部と評点表示部とを具え、前記評点入力部と評点表示部のすべての評価位置を示す照明が消灯されている状態から画質評価を始め、評価者が前記評点入力部に評点入力を行なった際、前記評点入力部と評点表示部の入力された評点に対応する評価位置の照明が点灯するとともに、前記入力された評点と該評点が入力された時点のＶＴＲの時間情報またはタイムコード情報とが同期状態、かつフレーム単位で収集されるように構成したことを特徴とするものである。
【０００９】
また、本発明評点収集装置は、前記点灯した評点入力と評点表示部の評価位置の照明をＶＴＲの予め設定された時間情報またはタイムコード情報に従って消灯し、評点収集を繰り返して行なえるように構成したことを特徴とする。
【００１０】
また、本発明評点収集装置は、前記評点入力部が評点入力釦によって構成されていることを特徴とするものである。
【００１１】
【発明の実施の形態】
以下に添付図面を参照し、発明の実施の形態に基づいて本発明を詳細に説明する。
上述したように、本発明評点収集装置においては、評価すべき画像が記録されているＶＴＲの時間情報またはタイムコード情報を評点とともに同期し、かつフレーム単位で収集、記録するようにしている。
【００１２】
さらに、本発明評点収集装置においては、上記とともに、初期状態において、評点入力部の各評価位置を示すすべての照明を消灯させ、評価者が評点を入力した時点からその評価に対応する位置の照明を点灯し、これと同時に評点表示部の照明も評点入力部の照明と連動させるようにしている。
【００１３】
なお、以下に説明する本発明評点収集装置の一実施形態においては、評点入力部は、図１に示す照明内蔵型の評点入力釦によって構成するものとし、同図に示すように、例えば、▲１▼から
【外１】
0003628840.tif 000002
までのｎ個の押し釦を有する（これにより、ｎ段階の画質評価ができる）ものとする。
【００１４】
以下に全体構成について説明する。
図２は、本発明評点収集装置の一実施形態の構成を示すブロック図である。
図２において、１はインターフェース部、２はパソコン、３は上述した評点入力釦（図１参照）からなる評点入力部、および４は評点表示部である。
【００１５】
次に、動作につき説明する。
パソコン２は、インターフェース部１を介して、パソコン２からの制御信号によりＶＴＲ（図示しない）をリモートコントロールするとともに、ＶＴＲから出力されるタイムコード情報（または、時間情報）と評点入力部３からの評点をフレーム単位で監視し、上述のＶＴＲのタイムコード情報と評点入力部３からの評点をパソコン２に取り込んで記録する。この評点は、画像の主観評価による画質評価の結果であり、評点入力部３の評価画質に対応した釦（例えば、５段階評価の場合には、▲１▼から▲５▼までの釦のうちから該当するランクの画質を示す数字の釦）を押下することによって得られる。
【００１６】
また、本発明の一実施形態においては、入力された評点に対応して点灯された評点入力部３の照明は、パソコン２からの命令に従い予め設定した時刻で消灯させて、評点収集を繰り返して行なえるようにしている。これは、入力後一定時間経過後に消灯してもよいし、予め定めたタイムコード情報（例えば、カットチエンジ情報）に従って消灯してもよい。そして、再びＶＴＲのタイムコード情報と評点入力部で押下された釦の位置とをフレーム単位で監視し、評価者の評価の判断切り替え時点のタイムコード情報と評点入力釦の位置とをパソコン２に記録するとともに、押下された釦に対応した位置（つまり、どの釦が押下されたか）を評点表示部４に表示する。なお、評点表示部４の照明は評点入力部３の照明とその点滅を連動させるものとする。
【００１７】
なお、本発明評点収集装置の評点入力部は、図１に示したものに限るものではなく、例えば、図３に示すように、０．５刻みの評点を入力できるようにした釦を配置して評価の精度を高めることもできる。また、評点入力部３の照明は入力釦とは別個に設けてもよく、評点表示部の照明も入力評点が識別できるものであればその表示態様は問わない。
【００１８】
【発明の効果】
本発明評点収集装置によれば、ＶＴＲのタイムコード情報と評点入力部の入力釦の位置をフレーム単位で監視し、画質評価者の評価時点のタイムコード情報と評点入力部の評価位置を互いに同期させ、かつフレーム単位で収集するようにしているため、評価画像のフレームごとの微細な状態変化と評点の対応付けが可能となる。
【００１９】
また、本発明評点収集装置によれば、予め入力したタイムコード情報（例えば、カットチエンジ情報）等に従い評点入力部の全部の押下釦の照明を消灯させ、評価者が評価位置に対応した釦を押下した時点から照明を点灯するようにしているため、評価者の視覚心理的変化を無理なく正確に測定することができる。すなわち、評価者が判断を再開した後の釦の位置だけを評点データとして取り扱うことができ、従って、知覚・認識に要する時間応答の解析や画像品質の動的な評価に利用できることになる。また、本発明装置は、評点入力釦の照明と連動した表示部を設けていることから、手元の評点入力部の釦位置を確認する必要がないという利点を有する。
【図面の簡単な説明】
【図１】本発明評点収集装置の一実施形態において使用する評点入力部の構成を示している。
【図２】本発明評点収集装置の一実施形態の構成を示すブロック図である。
【図３】評点入力部の他の例を示している。
【符号の説明】
１  インターフェース部
２  パソコン
３  評点入力部
４  評点表示部
【図１】
0003628840.tif 000003
【図２】
0003628840.tif 000004
【図３】
0003628840.tif 000005